(57)【特許請求の範囲】
【請求項１】
加熱手段により湯水を加熱する加熱運転を実行する熱源機と、該熱源機を遠隔操作するリモコンとを備えた熱源システムにおいて、
前記加熱運転の条件を示す運転条件パラメータと、前記熱源機の仕様を示す機種仕様パラメータとに基づいて、前記加熱運転を実行する加熱制御部と、
前記熱源機に設けられたモード切替スイッチと、
前記モード切替スイッチの操作に応じて、前記熱源機の作動開始時の初期モードである、前記運転条件パラメータの設定が可能であって前記機種仕様パラメータの設定が不能な運転条件設定モードから、前記機種仕様パラメータの設定が可能な機種仕様設定モードに切替える設定モード切替部と、
前記リモコンに設けられたディスプレイと、
前記運転条件設定モードであるときは、前記リモコンの第１所定操作に応じて前記運転条件パラメータを設定し、前記機種仕様設定モードであるときには、前記ディスプレイに機種仕様設定画面を表示して、前記リモコンの第２所定操作に応じて前記機種仕様パラメータを設定することにより、前記運転条件パラメータについては、前記リモコンの操作のみにより設定可能な構成とし、前記機種仕様パラメータについては、前記リモコンを操作する前に、前記熱源機に設けられた前記モード切替スイッチを操作することで設定可能な構成とするパラメータ設定部と
を備えたことを特徴とする熱源システム。
【請求項２】
請求項１記載の熱源システムにおいて、
前記設定モード切替部は、
前記機種仕様設定モードにおいて前記リモコンの第３所定操作がなされたときに、前記機種仕様設定モードから前記運転条件設定モードに切替え、
前記機種仕様設定モードにおいて、前記リモコンの前記第２所定操作がなされた時点から第１所定時間内に、前記リモコンの前記第３所定操作がなされなかったときには、前記機種仕様設定モードから前記運転条件設定モードに切替えることを特徴とする熱源システム。
【請求項３】
請求項１又は請求項２記載の熱源システムにおいて、
前記設定モード切替部は、前記運転条件設定モードから前記機種仕様設定モードに切り替えた時点から第２所定時間内に、前記リモコンの操作がなされなかったときには、前記機種仕様設定モードから前記運転条件設定モードに切替えることを特徴とする熱源システム。
【発明の詳細な説明】
【技術分野】
【０００１】
本発明は、リモコンによる熱源機の各種パラメータの設定が可能な熱源システムに関する。
【背景技術】
【０００２】
従来の熱源システムとして、例えば、ガス給湯器を遠隔操作するためのリモコンにより、ガス給湯器の加熱運転に用いられる各種パラメータを設定できるようにした給湯システムが知られている（例えば、特許文献１参照）。
【０００３】
特許文献１に記載された給湯システムにおいては、リモコン操作の進捗度に応じて、設定可能なパラメータを変えることにより、燃料ガスの種別や給湯器の号数、排気バリエーションといった、給湯器を一旦設置した後は設定し直す必要がない給湯器の仕様を示す機種仕様パラメータが、保守要員の誤操作によって変更されることの防止を図っている。
【先行技術文献】
【特許文献】
【０００４】
【特許文献１】特許第３６４４４１８号公報
【発明の概要】
【発明が解決しようとする課題】
【０００５】
上述した特許文献１に記載された給湯システムを採用した場合であっても、保守要員がリモコンを操作して給湯温度の補正等のパラメータを設定する際に、誤って機種仕様パラメータを変更することを完全に防止することはできない。そして、保守要員の誤操作によって機種仕様パラメータが誤設定されると、バーナの燃焼不良等が生じるおそれがある。
【０００６】
本発明はかかる背景を鑑みてなされたものであり、機種仕様パラメータの誤設定がなされることを、より確実に防止した熱源システムを提供することを目的とする。
【課題を解決するための手段】
【０００７】
本発明は上記目的を達成するためになされたものであり、加熱手段により湯水を加熱する加熱運転を実行する熱源機と、該熱源機を遠隔操作するリモコンとを備えた熱源システムに関する。
【０００８】
そして、前記加熱運転の条件を示す運転条件パラメータと、前記熱源機の仕様を示す機種仕様パラメータとに基づいて、前記加熱運転を実行する加熱制御部と、
前記熱源機に設けられたモード切替スイッチと、
前記モード切替スイッチの操作に応じて、前記熱源機の作動開始時の初期モードである、前記運転条件パラメータの設定が可能であって前記機種仕様パラメータの設定が不能な運転条件設定モードから、前記機種仕様パラメータの設定が可能な機種仕様設定モードに切替える設定モード切替部と、
前記リモコンに設けられたディスプレイと、
前記運転条件設定モードであるときは、前記リモコンの第１所定操作に応じて前記運転条件パラメータを設定し、前記機種仕様設定モードであるときには、前記ディスプレイに機種仕様設定画面を表示して、前記リモコンの第２所定操作に応じて前記機種仕様パラメータを設定することにより、前記運転条件パラメータについては、前記リモコンの操作のみにより設定可能な構成とし、前記機種仕様パラメータについては、前記リモコンを操作する前に、前記熱源機に設けられた前記モード切替スイッチを操作することで設定可能な構成とするパラメータ設定部とを備えたことを特徴とする（第１発明）。
【０００９】
第１発明によれば、前記機種仕様パラメータを設定するときには、前記運転条件パラメータを設定するときには不要である、前記熱源機の設置箇所に行って前記モード切替スイッチを操作するという作業を行って、前記運転条件設定モードから前記機種仕様設定モードに切替える必要がある。そのため、前記熱源機の保守要員等が、前記リモコンのみの操作により前記運転条件パラメータを設定するときに、誤って前記機種仕様パラメータを設定することを確実に防止することができる。
【００１０】
また、前記設定モード切替部は、前記機種仕様設定モードにおいて前記リモコンの第３所定操作がなされたときに、前記機種仕様設定モードから前記運転条件設定モードに切替え、前記機種仕様設定モードにおいて、前記リモコンの前記第２所定操作がなされた時点から第１所定時間内に、前記リモコンの前記第３所定操作がなされなかったときには、前記機種仕様設定モードから前記運転条件設定モードに切替えることを特徴とする（第２発明）。
【００１１】
また、前記設定モード切替部は、前記運転条件設定モードから前記機種仕様設定モードに切り替えた時点から第２所定時間内に、前記リモコンの操作がなされなかったときには、前記機種仕様設定モードから前記運転条件設定モードに切替えることを特徴とする（第３発明）。
【００１２】
第２発明及び第３発明によれば、前記機種仕様設定モードの継続により、前記リモコンの前記第２所定操作による前記機種仕様パラメータの設定が可能な状態が維持されることを回避して、前記熱源機の保守要員等による前記機種仕様パラメータの誤設定がなされることを防止することができる。
【００１３】
また、前記第１所定時間又は前記第２所定時間の経過により、前記機種仕様設定モードから前記運転条件設定モードに切替えられる。そのため、前記熱源機の保守要員等は、前記機種仕様設定モードに切替えて前記機種仕様パラメータを設定したときに、前記機種仕様設定モードから前記運転条件設定モードに戻す操作を行う必要がない。
【図面の簡単な説明】
【００１４】
【図１】本発明の熱源システムの構成図。
【図２】機種仕様設定モードのフローチャート。
【図３】メンテナンス設定モードのフローチャート。
【図４】機種仕様設定モード及びメンテナンス設定モードにおけるリモコンの表示態様の説明図。
【発明を実施するための形態】
【００１５】
本発明の実施形態について、図１〜図４を参照して説明する。図１を参照して、本実施形態の熱源システム１は、ガス燃焼方式により給湯運転を行なう熱源機２と、通信ケーブル４を介して熱源機２に接続されたリモコン３とを備えている。
【００１６】
熱源機２は、給湯管５に接続された熱交換器６と、熱交換器６を加熱するバーナ７と、コントローラ２０とを備え、バーナ７を燃焼させて給湯管５を流通する湯水を熱交換器６により加熱することにより、給湯運転を行なう。なお、バーナ７と熱交換器６により、本発明の加熱手段が構成される。
【００１７】
コントローラ２０は、熱源機２の筐体内に収容された電子基板であり、図示しないＣＰＵ（Central Processing Unit）、メモリ、モーメンタリ型のモード切替スイッチ２１等が実装されている。熱源システム１の保守要員等は、熱源機２の筐体を構成するパネル部材を外すことで、電子基板に実装されたモード切替スイッチ２１を操作することができる。
【００１８】
コントローラ２０のＣＰＵに、熱源システム１の制御用プログラムを実行させることによって、ＣＰＵは、モード切替スイッチ２１の操作に応じて、以下の表１に示した機種仕様パラメータの設定が可能な機種仕様設定モードと、機種仕様パラメータの設定が不能であってメンテナンスパラメータの設定が可能なメンテナンス設定モードとを切替える設定モード切替部２２、機種仕様パラメータとメンテナンスパラメータを設定するパラメータ設定部２３、及び熱源機２の給湯運転を実行する加熱制御部２４として機能する。
【００１９】
【表１】
0005745787.tif 000002
【００２０】
加熱制御部２４は、上記表１に示した機種仕様パラメータ及びメンテナンスパラメータ（本発明の運転条件パラメータに相当する）を含む各種の運転パラメータに基づいて、給湯運転を実行する。
【００２１】
上記表１に示した機種使用パラメータは、燃料ガスの種類（天然ガス、ＬＰＧ(液化石油ガス)等）、排気バリエーション（壁掛型、ＰＳ(Pipe Space)設置型、アルコープ設置型等）といった、熱源システムの製造時や設置時に一旦設定された後は、再設定する必要がない重要度の高いパラメータである。
【００２２】
それに対して、メンテナンスパラメータは、給湯温度補正、湯張り運転時の湯張り水位の補正といった、実際の温度や水位と熱源機による検出値とのずれが生じた場合等に、熱源システムの使用者の要望に応じて、熱源システムの保守要員等が設定する比較的重要度の低いパラメータである。
【００２３】
そこで、熱源システム１においては、メンテナンスパラメータについては、リモコン３の操作のみにより設定可能な構成とし、機種仕様パラメータについては、リモコン３を操作する前に、熱源機２のモード切替スイッチ２１を操作することで設定可能になる構成とすることにより、メンテナンスパラメータの設定時に、機種仕様パラメータが誤設定されることを防止している。以下、図２及び図３に示したフローチャートに従って、これらの構成について説明する。
【００２４】
図２のＳＴＥＰ１は設定モード切替部２２による処理である。設定モード切替部２２は、ＳＴＥＰ１で、熱源機２に設けられたモード切替スイッチ２１の操作の有無を判断し、モード切替スイッチ２１が操作されたときにＳＴＥＰ２に進む。この場合は、ＳＴＥＰ２以降の処理により、リモコン３のスイッチ操作に応じて機種仕様パラメータの設定が可能な「機種仕様設定モード」となる。
【００２５】
ＳＴＥＰ２で、設定モード切替部２２は、第１タイマ（第１タイマのタイマ時間は本発明の第１所定時間に相当する）をスタートさせる。この第１タイマは、ＳＴＥＰ１でモード切替スイッチ２１の操作により機種仕様設定モードとなってから、リモコン３の操作がなされずに第１所定時間（例えば１０分）が経過したときに、メンテナンス設定モードに復帰させるためのものである。
【００２６】
一方、ＳＴＥＰ１で、モード切替スイッチ２１が操作されていないときには、図３のＳＴＥＰ５０に進む。この場合には、図３のＳＴＥＰ５０以降の処理により、リモコン３のスイッチ操作に応じてメンテナンスパラメータの設定が可能な「メンテナンス設定モード」となる。
【００２７】
なお、リモコン３には、図４（ａ），図４（ｂ）に示したように、熱源機１の設定状況等が表示されるディスプレイ３０、熱源機の運転状態と待機状態を切替える運転スイッチ３１、浴槽（図示しない）に所定量の湯を供給する湯張り運転の実行を指示する自動スイッチ３２、浴槽内の湯水を加熱する追焚き運転の実行を指示するおいだきスイッチ３３、各種の操作メニューを選択するためのメニュースイッチ３４、ＤＯＷＮスイッチ３５、ＵＰスイッチ３６、決定スイッチ３７、及び、戻るスイッチ３８が備えられている。
【００２８】
［機種仕様設定モード］
機種仕様設定モードにおいて、パラメータ設定部２３は、熱源システム１の保守要員等によるリモコン３のスイッチ操作に応じて、機種仕様パラメータを設定する。
【００２９】
図２のＳＴＥＰ３とＳＴＥＰ２０からなるループにおいて、ＳＴＥＰ３で、パラメータ設定部２３がＤＯＷＮスイッチ３５とＵＰスイッチ３６と運転スイッチ３１の同時操作（スイッチの特殊操作）の有無を判断し、ＳＴＥＰ２０で、設定モード切替部２２が第１タイマのタイムアップの有無を判断する。
【００３０】
ＳＴＥＰ２０で第１タイマがタイムアップしたとき、すなわち、ＳＴＥＰ１でモード切替スイッチ２１が操作された時から、リモコン３の操作がなされずに第１所定時間が経過したときには、ＳＴＥＰ１０に進む。そして、設定モード切替部２２は、機種仕様設定モードからメンテナンス設定モードに切替えてＳＴＥＰ１に戻る。
【００３１】
ＳＴＥＰ３で、ＤＯＷＮスイッチ３５とＵＰスイッチ３６と運転スイッチ３１が同時に操作されたとき（スイッチの特殊操作あり）に、ＳＴＥＰ４に進む。ＳＴＥＰ４は設定モード切替部２２による処理であり、設定モード切替部２２は、第２タイマ（第２タイマのタイマ時間は本発明の第２所定時間に相当する）をスタートさせる。
【００３２】
この第２タイマは、リモコン３の操作がなされた時から、次のリモコン３の操作がなされずに第２所定時間（例えば１分）が経過したときに、メンテナンス設定モードに切替えるためのものである。次のＳＴＥＰ５で、パラメータ設定部２３は、図４（ａ）に示したように、リモコン３のディスプレイ３０に機種仕様設定画面４０を表示する。
【００３３】
そして、パラメータ設定部２３は、ＳＴＥＰ６〜ＳＴＥＰ９のループを繰り返し実行しながら、ＳＴＥＰ６でＵＰスイッチ３６又はＤＯＷＮスイッチ３５の操作の有無を判断し、ＳＴＥＰ７で決定スイッチ３７の操作の有無を判断し、ＳＴＥＰ９でＤＯＷＮスイッチ３５とＵＰスイッチ３６と運転スイッチ３１の同時操作（スイッチの特殊操作）の有無を判断する。また、設定モード切替部２２は、ＳＴＥＰ８で第２タイマがタイムアップしたか否かを判断する。
【００３４】
ＳＴＥＰ６でＵＰスイッチ３６又はＤＯＷＮスイッチ３５が操作されたときは、ＳＴＥＰ３０に分岐し、設定モード切替部２２が第２タイマを再スタート（第２タイマの計時時間をリセットして、計時を再開）させる。また、ＳＴＥＰ３１で、パラメータ設定部２３が設定対象とする機種仕様パラメータを変更して、ＳＴＥＰ６に戻る。図４（ａ）では、機種仕様パラメータとしてガス種が設定対象とされた状態が例示されている。
【００３５】
図４（ａ）では、設定番号「Ａ１」が表示され、設定内容「Ａ」が表示されている。設定番号「Ａ１」はガス種を示し、設定内容「Ａ］は例えば天然ガスを示す。そして、ＵＰスイッチ３６が操作されると、設定番号が「Ａ１」（ガス種）から「Ａ２」（排気バリエーション）に変更され、後述するＳＴＥＰ７の決定スイッチ３７の操作により、設定内容が、例えば現在値の「Ａ」（壁掛型）から「Ｂ」（ＰＳ設置型）に変更される。
【００３６】
ＳＴＥＰ７で決定スイッチが３７が操作されたときはＳＴＥＰ４０に分岐し、パラメータ設定部２３は、表示されている内容に、機種仕様パラメータを変更する。図４（ａ）の表示状態で決定スイッチ３７が操作されたときには、例えば、設定内容が「Ａ」（天然ガス）から「Ｂ」（ＬＰＧ）に変更される。なお、ＳＴＥＰ３〜ＳＴＥＰ７におけるリモコン３のスイッチ操作が、本発明のリモコンの第２所定操作に相当する。
【００３７】
ＳＴＥＰ９でＤＯＷＮスイッチ３５とＵＰスイッチ３６と運転スイッチ３１の同時操作がなされたとき（スイッチの特殊操作あり）は、ループを抜けてＳＴＥＰ１０に進み、設定モード切替部２２が、機種仕様設定モードからメンテナンス設定モードに切替えてＳＴＥＰ１に戻る。なお、ＳＴＥＰ９におけるＤＯＷＮスイッチ３５とＵＰスイッチ３６と運転スイッチ３１の同時操作は、本発明のリモコンの第３所定操作に相当する。
【００３８】
また、ＳＴＥＰ８で第２タイマがタイムアップしたときにはＳＴＥＰ１０に分岐し、設定モード切替部２２が、機種仕様設定モードからメンテナンス設定モードに切替えてＳＴＥＰ１に戻る。
【００３９】
［メンテナンス設定モード］
メンテナンス設定モードにおいて、パラメータ設定部２３は、熱源システム１の保守要員等によるリモコン３のスイッチ操作に応じて、メンテナンスパラメータを設定する。
【００４０】
図３のＳＴＥＰ５０で、ＤＯＷＮスイッチ３５とＵＰスイッチ３６と運転スイッチ３１が同時に操作されたとき（スイッチの特殊操作あり）に、ＳＴＥＰ５１に進む。ＳＴＥＰ５１は設定モード切替部２２による処理であり、設定モード切替部は、第３タイマをスタートさせる。
【００４１】
この第３タイマは、リモコン３の操作がなされた時から、次のリモコン３の操作がなされずに第３所定時間（例えば１分）が経過したときに、図２のＳＴＥＰ１に戻して、ＳＴＥＰ１でのモード切替スイッチ２１の操作、及びＳＴＥＰ５０でのＤＯＷＮスイッチ３５とＵＰスイッチ３６と運転スイッチ３１との同時操作の待ち状態に復帰させるためのものである。次のＳＴＥＰ５２で、パラメータ設定部２３は、図４（ｂ）に示したように、リモコン３のディスプレイ３０にメンテナンス設定画面５０を表示する。
【００４２】
そして、パラメータ設定部２３は、ＳＴＥＰ５３〜ＳＴＥＰ５６のループを繰り返し実行しながら、ＳＴＥＰ５３でＵＰスイッチ３６又はＤＯＷＮスイッチ３５の操作の有無を判断し、ＳＴＥＰ５４で決定スイッチ３７の操作の有無を判断し、ＳＴＥＰ５６でＤＯＷＮスイッチ３５とＵＰスイッチ３６と運転スイッチ３１の同時操作（スイッチの特殊操作）の有無を判断する。また、設定モード切替部２２は、ＳＴＥＰ５５で第３タイマがタイムアップしたか否かを判断する。
【００４３】
ＳＴＥＰ５２でＵＰスイッチ３６又はＤＯＷＮスイッチ３５が操作されたときは、ＳＴＥＰ６０に分岐し、設定モード切替部２２が第３タイマを再スタート（第３タイマの計時時間をリセットして、計時を再開）させる。また、ＳＴＥＰ６１で、パラメータ設定部２３は設定対象とするメンテナンスパラメータを変更して、ＳＴＥＰ５３に戻る。図４（ｂ）では、メンテナンスパラメータとして給湯温度補正が設定対象とされた状態が例示されている。
【００４４】
図４（ｂ）では、設定番号「０６」が表示され、設定内容「Ａ」が表示されている。設定番号「０６」は給湯温度補正を示し、設定内容「Ａ」は例えば＋１℃を示す。そして、ＵＰスイッチ３６が操作されると、設定番号が「０６」（給湯温度補正）から「０７」（湯張り水位補正）に変更され、後述するＳＴＥＰ５４の決定スイッチ３７の操作により、設定内容が、例えば現在値の「Ａ」（±０）から「Ｂ」（−２０mm）に変更される。
【００４５】
ＳＴＥＰ５４で決定スイッチ３７が操作されたときは、ＳＴＥＰ７０に分岐し、パラメータ設定部２３はメンテナンスパラメータを変更する。図４（ｂ）の表示状態で決定スイッチ３７が操作されたときには、例えば設定内容が「Ａ」（＋１℃）から「Ｂ」（＋２℃）に変更される。なお、ＳＴＥＰ５０〜ＳＴＥＰ５４におけるリモコン３のスイッチ操作が、本発明のリモコンの第１所定操作に相当する。
【００４６】
ＳＴＥＰ５６でＤＯＷＮスイッチ３５とＵＰスイッチ３６と運転スイッチ３１の同時操作がなされたとき（スイッチの特殊操作あり）は、ループを抜けて図２のＳＴＥＰ１に戻る。また、ＳＴＥＰ５５で第３タイマがタイムアップしたときには図２のＳＴＥＰ１に戻る。
【００４７】
以上説明したように、初期設定である「メンテナンス設定モード」においては、保守要員等は、リモコン３のスイッチ操作のみで各メンテナンスパラメータを設定することができる。それに対して、「機種仕様設定モード」に切替えるためには、保守要員等は、熱源機２の設置場所に行ってその筐体のパネル部を外し、コントローラ２０に実装されたモード切替スイッチ２１を操作する必要がある。
【００４８】
そのため、熱源システム１の設置後に、保守要員等が「メンテナンス設定モード」においてメンテナンスパラメータを設定するときに、誤って、機種仕様パラメータを設定してしまうことを、より確実に防止することができる。
【００４９】
また、設定モード切替部２２は、図２のＳＴＥＰ１でモード切替スイッチ２１が操作されて、「メンテナンス設定モード」から「機種仕様設定モード」に切替えた時から、リモコン３のスイッチが操作されることなく第１所定時間（例えば１０分）が経過したときには、「機種仕様設定モード」から「メンテナンスモード」に戻す。そして、これにより、「機種仕様設定モード」の状態が放置されて、誤って機種仕様パラメータが変更されることを防止している。
【００５０】
さらに、設定モード切替部２２は、図２のＳＴＥＰ３，ＳＴＥＰ６，ＳＴＥＰ７で、リモコン３のスイッチ操作がなされた時から、次のリモコン３のスイッチ操作がなされることなく第２所定時間（例えば１分）が経過したときにも、「機種仕様設定モード」から「メンテナンス設定モード」に戻す。そして、これにより、「機種仕様設定モード」の状態が放置されて、誤って機種仕様パラメータが変更されることを防止している。
【００５１】
なお、このように、図２のＳＴＥＰ７で決定スイッチ３７が操作されて、いずれかの機種仕様パラメータが設定された時から、リモコン３のスイッチが操作されることなく第２所定時間（例えば１分間）が経過すると、「機種仕様設定モード」から「メンテナンス設定モード」に切替わる。そのため、保守担当者等は、図２のＳＴＥＰ９の操作（ＤＯＷＮスイッチ３５とＵＰスイッチ３６と運転スイッチ３１の同時操作）を省略することができる。
【００５２】
なお、本実施の形態では、本発明の熱源システムとして、ガス燃焼方式により給湯運転を行なう熱源機２を備えた熱源システム１を示したが、石油燃焼方式の熱源機や電気温水器等の他の種類の熱源機を備えた熱源システムに対しても、本発明の適用が可能である。
【００５３】
また、本実施の形態において、設定モード切替部２２は、「機種仕様設定モード」でリモコン３のスイッチ操作がなされない状態が第１所定時間又は第２所定時間継続したときに、「メンテナンス設定モード」に切替える処理を行ったが、この処理を行わない場合であっても、本発明の効果を得ることができる。
【符号の説明】
【００５４】
１…熱源システム、２…熱源機、３…リモコン、２０…コントローラ、２１…モード切替スイッチ、２２…設定モード切替部、２３…パラメータ設定部。
【図１】
0005745787.tif 000003
【図２】
0005745787.tif 000004
【図３】
0005745787.tif 000005
【図４】
0005745787.tif 000006